(57)【特許請求の範囲】
【請求項１】
本体部に固定される基板と、副体部に固定されて閉位置と開位置の間を開閉方向に摺動可能な摺動板と、前記摺動板に形成される穴部と、前記本体部に形成されて前記閉位置において前記穴部に係合されて閉方向に対して表裏方向の裏方向側に傾斜する傾斜面を有する傾斜面部と、前記摺動板の摺動方向を案内する摺動案内部と、前記摺動板の前記閉位置から前記開位置に向けての摺動の初期段階で前記摺動板の方向端の前記表裏方向の移動を拘束する拘束部と、前記摺動案内部の閉方向端部において形成されて裏方向に傾斜する傾斜部分と、を含むことを特徴とするスライド機器。
【請求項２】
前記基板が前記本体部に固定される基部と当該基部の幅方向に離隔した一対の脚部を有し、前記摺動板が前記副体部に固定される平面部と前記脚部に対して前記閉位置と前記開位置の間を前記開閉方向に摺動可能な一対の腕部とを有して、前記摺動板に固定される付加摺動板を含むとともに、前記平面部が前記穴部を含み、前記一対の腕部は前記幅方向に突出する突部を含み、前記脚部は前記突部の裏方向側に当接する前記摺動案内部と、前記突部の脱落を防止する脱落防止溝とを含み、前記脱落防止溝は閉方向端部において前記突部の前記表裏方向の移動を拘束して前記拘束部を構成することを特徴とする請求項１に記載のスライド機器。
【請求項３】
前記閉位置において前記付加摺動板の開方向端と前記基部の裏面部との隙間は、前記副体部の閉方向端に前記裏方向及び開方向に向かう押圧力が作用した場合に、前記突部が前記拘束部により拘束されて生じる支点を中心として、前記平面部の開方向端が表方向に移動する移動量が、前記本体部の表面部の前記表裏方向の段差量となるように設定されることを特徴とする請求項２に記載のスライド機器。
【請求項４】
前記表面部は前記閉位置において前記副体部を収納する閉方向側部分と、当該閉方向側部分よりも開方向側に位置する開方向側部分を含み、前記段差量は前記閉方向側部分と前記開方向側部分の前記表裏方向のオフセット量であることを特徴とする請求項３に記載のスライド機器。
【請求項５】
前記付加摺動板の開方向端部に前記閉方向に凹む凹部を設け、当該凹部に前記開位置において嵌合する凸部を前記基部に設けることを特徴とする請求項４に記載のスライド機器。
【請求項６】
前記腕部を挿通する挿通溝を前記本体部が含むとともに、前記閉位置以外において前記挿通溝を前記裏方向から遮蔽する遮蔽手段を含むことを特徴とする請求項２〜５のいずれか一項に記載のスライド機器。
【請求項７】
前記遮蔽手段は、遮蔽板と当該遮蔽板を前記幅方向の外側に付勢する付勢手段とを含み、前記遮蔽板の開方向端部は前記腕部の閉方向端と当接するとともに前記開閉方向に対して二段階に傾斜する二段傾斜面を含み、前記二段傾斜面の開方向側傾斜面は閉方向側傾斜面よりも前記開閉方向に対する角度が大きいことを特徴とする請求項６に記載のスライド機器。
【請求項８】
前記基板は、前記摺動案内部と前記傾斜部分を構成する平板部と、当該平板部の幅方向外側端から前記裏方向に突出する突片部とを有し、当該突片部が開方向に対して表方向に傾斜する傾斜辺部を有して、前記摺動板が幅方向内側部分に前記裏方向に突出して前記摺動案内部及び前記傾斜部分に当接する裏突部と、幅方向外側端に前記裏方向に突出する突片と、当該突片から幅方向内側に指向して前記傾斜辺部に当接する内突部と、を含み、前記傾斜辺部が前記拘束部を構成することを特徴とする請求項１に記載のスライド機器。
【請求項９】
前記摺動板が前記裏方向に突出する裏突出部を含み、当該裏突出部の前記開閉方向の移動量を規制する規制手段を前記基板が含むことを特徴とする請求項８に記載のスライド機器。
【請求項１０】
前記摺動板が前記裏突出部を保持する保持部を含むとともに、当該保持部の前記表裏方向の表方向側面に対して前記本体部の裏面が摺動する部分に摩擦を低減する摩擦低減部分を含むことを特徴とする請求項９に記載のスライド機器。
【発明の詳細な説明】
【技術分野】
【０００１】
本発明は、例えば本体部と副体部とを具備して、副体部を本体部に対してスライド可能とするスライド機器であって、特には副体部がカバーである撮像装置、撮像装置付き携帯電話等の機器に適用されて好適なものに関する。
【背景技術】
【０００２】
撮像装置や撮像装置付き携帯電話を構成する電子機器として、撮像装置本体や各種操作ボタンや表示部等の入出力インターフェースを有した本体部と、撮像装置本体の主にレンズ部分を非使用時に収納し保護するカバーである副体部と、本体部に対して副体部をスライドさせるスライド機器とを具備したものが知られている。
【０００３】
このような電子機器においては、本体部に対してスライド機器を介して連結された副体部つまりカバーをスライドさせることにより、使用時においてレンズ部分を露出させて撮影を可能とすることが行われる。
【０００４】
この種の電子機器として特許文献１に開示されたものがある。特許文献１に示されるスライド機器は、カバーに固定されるスライド板に左右一対の腕部を具備させて、左右一対の腕部の前後二箇所に左右方向外側に突出する突部を設け、本体部に前後方向に延びかつ前部において下方に傾斜する形態の左右二対のリフト機能を有するカム溝を設けて、カム溝にそれぞれ対応する突部を嵌め込む構成を有している。
【０００５】
この構成により、カバーを閉じた状態においてはカバーの表面と本体部の表面を同一平面上に収め、カバーを開いた状態では、本体部のレンズ部分が位置しない表面の表側にカバーを重ねて位置させることを実現している。
【先行技術文献】
【特許文献】
【０００６】
【特許文献１】特開２００９−２７２９０８号公報
【発明の概要】
【発明が解決しようとする課題】
【０００７】
ところが、このような構成のスライド機器においては、ユーザがカバーを閉じた状態から開いた状態に移行させる操作を行う場合に、以下の問題が生じる。通常ユーザがカバーを開く操作を行う場合には、特に操作の初期段階においてカバーの閉方向端をカバーの厚み方向すなわち裏方向に向かう方向に押しながら開く方向に向けて指で押圧することが行われる。
【０００８】
特許文献１に記載のスライド機器においては、左右二対のカム溝に設けた下方に傾斜する部分において作用するリフト力により、カバー全体が均等にリフトアップされることが行われて、ユーザのカバーの裏方向へ押圧する操作力に対して過度の操作反力が閉方向端において働くことを招く。
【０００９】
これとともに、カム溝を左右二対具備していることに起因して傾斜する部分において作用する開く方向と逆方向に作用する反作用の力が過大となり、開く方向に対しても操作反力が大きくなりすぎることをも招く。すなわち、ユーザの所望する操作フィーリングを実現して操作性を高め商品性を高めることが必ずしも容易でないという問題が生じる。
【００１０】
本発明は、上記問題に鑑み、操作性を高めて商品性を高めることができるスライド機器を提供することを目的とする。
【課題を解決するための手段】
【００１１】
上記の問題を解決するため、本発明によるスライド機器は、
本体部に固定される基板と、
副体部に固定されて閉位置と開位置の間を開閉方向に摺動可能な摺動板と、
前記摺動板に形成される穴部と、
前記本体部に形成されて前記閉位置において前記穴部に係合されて閉方向に対して表裏方向の裏方向側に傾斜する傾斜面を有する傾斜面部と、
前記摺動板の摺動方向を案内する摺動案内部と、
前記摺動板の前記閉位置から前記開位置に向けての摺動の初期段階で前記摺動板の閉方向端の前記表裏方向の移動を拘束する拘束部と、
前記摺動案内部の閉方向端部において形成されて裏方向に傾斜する傾斜部分と、
を含むことを特徴とする。
【００１２】
前記スライド機器によれば、前記副体部の閉方向端部を裏方向及び開方向に押圧する押圧力が入力されて、前記副体部を前記閉位置から前記開位置へ移動させる開操作を行う場合において、初期段階において、前記副体部つまり前記摺動板の閉方向端を前記拘束部が前記表裏方向において拘束して前記拘束部を支点とした上で、前記傾斜面に前記穴部を構成する閉方向側の内縁部が開方向に移動して当接されて乗り上げて、前記摺動板の開方向端は表方向に移動させられ、所謂ウイリー動作が行われる。
【００１３】
ウイリー動作が行われた後、引き続き前記押圧力が前記副体部の閉方向端部に作用されると、前記摺動案内部の前記傾斜部分の案内作用に基づいて、前記摺動板の閉方向端が表方向に移動される、所謂テールリフトアップ動作が行われる。
【００１４】
テールリフトアップ動作が行われた後は、前記摺動案内部の前記傾斜部分以外の案内作用に基づいて、前記摺動板と前記副体部は開方向に前記本体部に対して平行に移動され、平行移動動作が行われる。平行移動動作においては前記摺動板の裏面部と前記本体部の表面部との間の当接による支持力も利用されて、前記開位置に到達するまで安定した平行移動が実現される。
【００１５】
従って前記スライド機器によれば、初期段階のウイリー動作において前記摺動板の開方向端のみを表方向に移動させるので、前記押圧力に対する操作反力を抑制することができる。また、テールリフトアップ動作においても前記摺動板の閉方向端のみを表方向に移動させるので、これも前記押圧力に対する操作反力を抑制することができる。つまり、全ての動作において操作フィーリングを高めて操作性を高めることができる。
【発明の効果】
【００１６】
本発明によれば、利便性と操作性を両立させて商品性を高めることができるスライド機器を提供することができる。
【図面の簡単な説明】
【００１７】
【図１】本発明に係る実施例１のスライド機器Ｄ１の各構成要素を表裏方向に並列させて示す模式図である。
【図２】実施例１のスライド機器Ｄ１の各構成要素の組立態様について各構成要素を表裏方向に並列させて示す模式図である。
【図３】実施例１のスライド機器Ｄ１の組立後の形態について図示しない底部カバーを除去して表裏方向の双方から視て示す模式図である。
【図４】実施例１のスライド機器Ｄ１の閉状態における形態について図示しない底部カバーを除去して裏方向から視て示す模式図である。
【図５】実施例１のスライド機器Ｄ１のスライド動作についてスライド動作に寄与する構成要素を含む幅方向に垂直な断面と幅方向視において示す模式図である。
【図６】実施例１のスライド機器Ｄ１の開状態における形態について底部カバーを除去して裏方向から視て示す模式図である。
【図７】実施例１のスライド機器Ｄ１の遮蔽動作について遮蔽動作に寄与する構成要素を表裏方向から視て示す模式図である。
【図８】本発明に係る実施例２のスライド機器Ｄ２の各構成要素を表裏方向に並列させて示す模式図である。
【図９】実施例２のスライド機器Ｄ２のスライド動作に寄与する構成要素の相互位置関係を裏方向かつ閉方向から視て示す模式図である。
【図１０】実施例２のスライド機器Ｄ２のスライド動作に寄与する構成要素の相互干渉形態を幅方向に垂直な三つの断面における幅方向視においてそれぞれ示す模式図である。
【発明を実施するための形態】
【００１８】
以下、本発明を実施するための形態について、添付図面を参照しながら説明する。
【実施例１】
【００１９】
以下の実施例１の説明に用いる図１〜７中において、φは幅方向の中央を示し、ＯＵＴは幅方向の中央φから離隔する幅方向の外側を示し、ＩＮは中央φに接近する幅方向の内側を示す。Ｆは表裏方向の表方向を示し、本実施例１では本体部１から副体部３に向かう方向を示す。Ｒは裏方向を示す。ＣＬは開閉方向の閉方向を示し、ＯＰは開方向を示す。
【００２０】
なお、表方向Ｆを上として開方向ＯＰから視ると幅方向の中央φより右側の領域の幅方向の外側ＯＵＴは右方であり内側ＩＮは左方となる。左側の領域ではＯＵＴは左方でありＩＮは右方となる。
【００２１】
図１に示すように、本実施例１のスライド機器Ｄ１は、ベースカバー１（本体部）に固定される基部２ａと基部２ａの幅方向に離隔した一対の脚部２ｂを有するベースフレーム２（基板）と、スライドカバー３（副体部）に固定される平面部４ａと脚部２ｂに対して閉位置と開位置の間を開閉方向に摺動可能な一対の腕部４ｂとを有するスライドフレーム４（摺動板）と、スライドフレーム４に固定されるサブスライドフレーム５（付加摺動板）とをまず含む。
【００２２】
ベースカバー１とスライドカバー３は例えばアルミプレス成形等により成形され、ベースフレーム２、スライドフレーム４、サブスライドフレーム５は例えばＳＵＳ等の金属製の板をプレス加工及び曲げ加工により適宜加工することにより構成される。なお、スライドフレーム４の裏面側には薄板状の図示しないクッションが設けられる。
【００２３】
これとともに、平面部４ａはベースカバー１の表面部１Ｆに対して表裏方向の表方向側に位置しており、腕部４ｂは裏方向側に位置させている。平面部４ａの閉方向側端部から裏方向にオフセットした位置から腕部４ｂは開方向に延在し、腕部４ｂは幅方向に対して垂直をなすスライド部分とさらに折り返されて表裏方向に垂直をなす支持部分を有している。
【００２４】
平面部４ａの幅方向の両側と腕部４ｂとの間には、開方向への移動時にベースカバー１との干渉を防止するためのスリット形状が設けられている。平面部４ａはその開方向側部に幅方向の中央φに対して左右対称に位置する一対の方形状の穴部４ｃを含む。
【００２５】
表面部１Ｆは閉位置において穴部４ｃに係合されて、なおかつ、閉方向に対して裏方向側に傾斜する傾斜面１ａａを有する傾斜面部１ａを含む。一対の腕部４ｂは幅方向の外側に位置する抜止頭部６ａと内側に突出する突部６ｂを含む。抜止頭部６ａと突部６ｂは例えば合成樹脂により形成される一の円柱状のスライドピン６を対応する孔部４ｄにカシメにより固定することにより構成される。
【００２６】
脚部２ｂは突部６ｂの裏方向側に当接する当接面を表方向側に有する開閉方向に延びる形態の例えば合成樹脂により形成されるスライドブロック７（摺動案内部）を腕部４ｂの支持部分の表面上に例えば係合止め、インサート成形、熱溶着等の適宜の手段により接合されて含む。また、脚部２ｂは、突部６ｂに対して表裏方向に遊びを持って挿入されて突部６ｂの主に表方向への過大な変位を防止して、脱落を防止する開閉方向に延びる形態の脱落防止溝２ｃをスライド部分に含む。
【００２７】
摺動案内部７の当接面は閉方向端部において裏方向に傾斜する傾斜部分７ａを有し、傾斜部分７ａ以外の当接面は表裏方向に対して垂直な平面を構成する。脱落防止溝２ｃは閉方向端部において閉方向及び裏方向の合成方向に指向する溝形状を有して、突部６ｂ及びスライドフレーム４の閉方向端の表裏方向の移動を初期段階においてのみ拘束する拘束部２ｃａを有する。
【００２８】
本実施例１においては、傾斜面部１ａの傾斜面１ａａは傾斜部分７ａよりも開閉方向に対する角度が大きく設定される。なお、ここでの角度とはそれぞれの面そのものと開閉方向とのなす角度を指し、面の法線と開閉方向とのなす角度を指すものではない。
【００２９】
閉位置においてサブスライドフレーム５の開方向端とベースフレーム２の基部２ａの裏面部との表裏方向における隙間は、上述した初期段階においてスライドカバー３の閉方向端に裏方向及び開方向に向かう押圧力が作用した場合に、突部６ｂが拘束部２ｃａにより拘束されて生じる支点を中心として、平面部４ａの開方向端が表方向に移動される。この移動量は、表面部１Ｆの表裏方向の段差量となるように設定される。
【００３０】
図１に示されるように、ベースカバー１の表面部１Ｆは閉位置においてスライドカバー３及びスライドフレーム４の平面部４ａを収納する閉方向側部分１ＦＣと、閉方向側部分１ＦＣよりも開方向側に位置する開方向側部分１ＦＯを含み、表面部１Ｆの段差量とは閉方向側部分１ＦＣと前記開方向側部分１ＦＯの表裏方向のオフセット量であって、スライドカバー３及びスライドフレーム４の平面部４ａの表裏方向におけるトータルの厚みとほぼ等しい。
【００３１】
さらに、本実施例１のスライド機器Ｄ１においては、サブスライドフレーム５の開方向端部に閉方向に半円筒状に凹む凹部５ａを設け、凹部５ａに開位置において嵌合するロックピン８（凸部）を基部２ａに裏方向に突出させて設けている。
【００３２】
加えて、本実施例１のスライド機器Ｄ１においては、腕部４ｂを挿通する幅方向に離隔した一対のスリット１ｂ（挿通溝）をベースカバー１の表面部１Ｆの閉方向側部分１ＦＣが含む。スリット１ｂの開方向側端部は腕部４ｂの抜止頭部６ａ及び突部６ｂを挿通する拡幅形状を有している。これとともに、閉位置以外においてスリット１ｂを裏方向から遮蔽するスリットカバー９を含んでいる。
【００３３】
本実施例１のスライド機器Ｄ１におけるスリットカバー９は、遮蔽板１０と遮蔽板１０を幅方向の外側に付勢するカバースプリング１１（付勢手段）とを含み、遮蔽板１０の開方向端部は腕部４ｂの閉方向端と当接するとともに開閉方向に対して二段階に傾斜する二段傾斜面１０ａを含む。
【００３４】
図７に示すように、二段傾斜面１０ａの開方向側傾斜面は閉方向側傾斜面よりも開閉方向に対する角度を大きく設定している。なお、ここでの角度もそれぞれの面そのものと開閉方向とのなす角度を指し、面に対する法線と開閉方向とのなす角度を指すものではない。
【００３５】
遮蔽板１０は、開閉方向に延在するとともに表裏方向に垂直な平面形状を有するとともに、平面形状の幅方向の外側の閉方向端部は、ベースカバー１の内輪郭形状に沿わせた応内輪郭形状１０ｂを有する。ベースカバー１の閉方向端部は９０度のＲ形状を有しているので、応内輪郭形状１０ｂも対応するＲ形状を含んでいる。
【００３６】
カバースプリング１１は所謂線バネにより構成され、両端の内一方をカール形状の開方向側支点１１ａとし、他方を同じくカール形状として閉方向側支点１１ｂとして、ネジ１２を介してベースフレーム２の基部２ａに設けられたレンズ用の大穴部の幅方向の外側部分の表面上に固定される。これとともに、カバースプリング１１は開閉方向に幅方向の外側に湾曲状に突出しながら延在する曲線形状を有する。
【００３７】
遮蔽板１０の平面形状の幅方向の内側の開閉方向の中間部分は、カバースプリング１１が有する曲線形状を収納する、幅方向の外側に向けて窪む溝状の曲線形状収納形状１０ｃを有する。
【００３８】
遮蔽板１０の平面形状の幅方向の内側の開方向端部は、カバースプリング１１の開方向側支点１１ａを収納する部分円弧面状の開方向側支点収納形状１０ｄを有する。同様に、遮蔽板１０の平面形状の幅方向の内側の閉方向端部は、カバースプリング１１の閉方向側支点１１ｂを収納する部分円弧面状の閉方向側支点収納形状１０ｅを有する。
【００３９】
図２に示すように、スライドフレーム４の左右一対の腕部４ｂの閉方向側部に設けられたスライドピン６用の孔部４ｄに、スライドピン６をカシメにより取り付け、スライドフレーム４の平面部４ａにカシメによりスライドカバー３を取り付けて、サブアッシーを構成する。
【００４０】
このサブアッシーの一対の腕部４ｂをベースカバー１の一対のスリット１ｂに表方向から挿入し、基部２ａに固定されたカバースプリング１１の外側に遮蔽板１０を載置されたベースフレーム２の脱落防止溝２ｃに突部６ｂを挿入して、スライドブロック７の当接面に当接させる。
【００４１】
さらに、開閉操作に伴う操作反力と補助力を適宜付与するスプリング１３の一方端をスプリングピン１４によりベースフレーム２に連結し、他方端をスプリングピン１４によりサブスライドフレーム５の閉方向側突出部に連結し、腕部４ｂの開方向側端の孔部４ｅにサブスライドフレーム５をネジ１５により結合する。
【００４２】
遮蔽板１０は、ベースカバー１に設けられたレンズ用の大穴部の幅方向の外側部分の裏面部と、ベースフレーム２に設けられたレンズ用の大穴部の幅方向の外側部分の表面との間に、カバースプリング１１に幅方向の外側に付勢されながら遊びを有して挟持されて、図３に示すようなスライド機器Ｄ１が組み立てられる。
【００４３】
以上述べた本実施例１のスライド機器Ｄ１及びスライド機器Ｄ１を含む電子機器によれば、以下のような動作を実現でき、以下に述べるより有利な作用効果を得ることができる。これらの動作について図４及び図５（ａ）〜（ｄ）を用いて説明する。
【００４４】
図４は閉位置におけるスプリング１３、サブスライドフレーム５と脚部２ｂ及び腕部４ｂの位置関係を裏方向から視て示している。図５は、図４において幅方向に垂直な面内の、スライドカバー３及びスライドフレーム４のベースカバー１及びベースフレーム２に対する相対位置関係をスライド操作の段階毎に示すとともに、図４における幅方向の中央φから外側ＯＵＴ方向に視て、突部６ｂと拘束部２ｃａとの係合態様と、突部６ｂとスライドブロック７の当接面との当接態様を、これもスライド操作の段階毎に示している。
【００４５】
図５（ａ）に示すように、閉位置においてサブスライドフレーム５の開方向端とベースフレーム２の基部２ａの裏面部との表裏方向における隙間δは、初期段階においてスライドカバー３の閉方向端に裏方向及び開方向に向かう押圧力が作用した場合に、図５（ｂ）に示すように、突部６ｂが拘束部２ｃａにより拘束されて生じる支点を中心として、平面部４ａの開方向端が表方向に移動する移動量が、上述した表面部１Ｆの表裏方向の段差量となるように設定されている。
【００４６】
図５（ａ）において、スライドカバー３の閉方向端部を裏方向及び開方向に押圧する押圧力が入力されると、スライドカバー３を閉位置から開位置へ移動させる開操作が開始される。
【００４７】
この開操作つまりスライド操作の初期段階においては、図５（ｂ）に示すように突部６ｂ及びスライドフレーム４の閉方向端を拘束部２ｃａが表裏方向において拘束することが行われる。この表裏方向の拘束作用に基づいて、突部６ｂが支点とされた上で、傾斜面１ａａに穴部４ｃを構成する閉方向側の内縁部が開方向に移動して当接され、内縁部と傾斜面１ａａの当接に伴うリフト力がスライドフレーム４の開方向端側に発生して、スライドフレーム４の開方向端はスライドカバー３とともに表方向に移動させられ、図５（ｂ）に示すようなウイリー動作が行われる。
【００４８】
また本実施例１においては、傾斜面１ａａの開閉方向に対する傾斜角を傾斜部分７ａの開閉方向に対する傾斜角よりも大きいこととし異ならせて、ウイリー動作におけるスライドフレーム４の開方向端部の表方向への移動量を適宜調節している。なお、この大小関係は所望される移動量に対応させて適宜変更可能であり、相互に等しくしても逆としてもよい。
【００４９】
このウイリー動作によるスライドフレーム４の開方向端部の表方向への移動量は、スライドフレーム４の開方向端部とともに表方向に移動するサブスライドフレーム５の開方向端とベースフレーム２の基部２ａの裏面部との図５（ｂ）に示す干渉により制限され、移動量制限動作が行われる。
【００５０】
移動量制限動作が行われた後、引き続き開操作のための押圧力がスライドカバー３の閉方向端部に作用されると、突部６ｂは拘束部２ｃａから離脱して表裏方向の拘束は解除されて、突部６ｂがスライドブロック７の傾斜部分７ａに当接されながら開方向に移動され、突部６ｂが傾斜部分７ａを開方向への移動とともに乗り上げることに伴って、スライドフレーム４の閉方向端が表方向に移動される、テールリフトアップ動作が行われる。
【００５１】
テールリフトアップ動作が行われた後は、図５（ｃ）に示すように、突部６ｂとスライドブロック７の傾斜部分７ａ以外の基部２ａと平行な当接部との当接と、スライドフレーム４の裏面のクッションとベースカバー１の表面部１Ｆの開方向側部分１ＦＯとの間の当接とに基づいて、スライドフレーム４とスライドカバー３は開方向にベースフレーム２に対して図５（ｄ）に示す開位置に到達するまで平行に移動され、平行移動動作が行われる。
【００５２】
図６に示すように、平行移動動作が終了して開位置が選択された場合には、サブスライドフレーム５の凹部５ａにロックピン８が嵌合される。開位置においては、腕部４ｂと脚部２ｂとの開閉方向におけるオーバーラップ量つまり抱え込み量が小さくなることによりベースフレーム２に対するスライドフレーム４の特には開閉方向を中心とした相対回転や幅方向の相対移動が発生しやすいが、凹部５ａとロックピン８を備えて開位置において嵌合する構成を具備しているので、これらの相対回転及び相対移動を抑制して所謂ガタの発生を抑制することができる。
【００５３】
つまり本実施例１のスライド機器Ｄ１によれば、初期段階のウイリー動作においてスライドフレーム４の開方向端のみを表方向に移動させるので、押圧力に対する操作反力を抑制することができる。また、テールリフトアップ動作においてもスライドフレーム４の閉方向端のみを表方向に移動させるので、これも押圧力に対する操作反力を抑制することができる。つまり、全ての動作において操作フィーリングを高めて操作性を高めることができる。
【００５４】
加えて、上述した全ての動作に寄与する腕部４ｂ側のスライドピン６、脚部２ｂ側のスライドブロック７、脱落防止溝２ｃ、拘束部２ｃａ等の、スリット１ｂへの腕部４ｂの挿通によって構成可能となる主要な構成要素を幅方向の外側に集約し、幅方向の内側にはベースカバー１の傾斜面部１ａとスライドフレーム４の穴部４ｃのみを配置することができる。
【００５５】
これらのことにより、スライド機器Ｄ１が適用される電子機器が撮像用のレンズを含み、レンズ外径の増大が要請される条件においても、スライドカバー３の開動作に必要な主要な構成要素を設計上、艤装上の制約を受けることなく設計製作することができ、なおかつ、スライドカバー３のベースカバー１に対するストローク量を大きくすることができる。
【００５６】
次に、本実施例１のスライド機器Ｄ１におけるスリットカバー９の遮蔽動作の態様について図７を用いて上述した開動作とは逆の閉動作において説明する。図７（ａ）に示すように開位置においては、腕部４ｂは開方向に最大限変位されており、腕部４ｂの閉方向端は遮蔽板１０の二段傾斜面１０ａの開方向側傾斜面に当接しているのみで、開方向側傾斜面に対して閉方向に向かう押圧力は作用していない。
【００５７】
ここでスライドカバー３の開方向端に閉方向に向かう押圧力が作用すると、腕部４ｂの閉方向端が二段傾斜面１０ａの開方向側傾斜面に閉方向に向かう押圧力を作用させて、図７（ｂ）に示すように、遮蔽板１０の開方向端は、閉方向側の応内輪郭形状１０ｂの有するＲ形状を支点として幅方向の内側に曲線形状収納形状１０ｃを介して入力されるカバースプリング１１の付勢力に対抗して移動され、腕部４ｂの閉方向端は二段傾斜面１０ａの閉方向側傾斜面に当接する。
【００５８】
さらに閉方向に向かう押圧力がスライドカバー３の開方向端に作用されると、図７（ｃ）に示すように、腕部４ｂの閉方向端は二段傾斜面１０ａの閉方向側傾斜面を幅方向の内側に押しのけて、遮蔽板１０の開方向側支点収納形状１０ｄをカバースプリング１１の開方向側支点１１ａに当接させ、閉方向側支点収納形状１０ｅを閉方向側支点１１ｂに当接させて、腕部４ｂの閉方向端部の幅方向の内側面は遮蔽板１０の二段傾斜面１０ａよりも閉方向側の面に面接触する。
【００５９】
図７（ｃ）の状態からさらに、閉方向に向かう押圧力がスライドカバー３の開方向端に作用されると、腕部４ｂの閉方向端部の幅方向の内側面は遮蔽板１０の二段傾斜面１０ａよりも閉方向側の面に面接触されながら、腕部４ｂの閉方向端は閉位置まで移動する。これらのことにより、遮蔽板１０は、スリット１ｂの腕部４ｂの閉方向端よりも閉方向側に位置する部分を常に遮蔽して隠すことができ、意匠性を高めかつ、内部への塵埃等の侵入を防止することができる。
【００６０】
また、本実施例１のスライド機器Ｄ１においては、遮蔽板１０、カバースプリング１１を、表裏方向において狭小な領域に効率的に配置することができる。また、スリットカバー９を構成する遮蔽板１０及びカバースプリング１１を、ベースフレーム２とベースカバー１が本来有する形状を有効に活用した形態とすることにより、複雑な機構を用いることなく開閉操作に伴う遮蔽動作を実現することができる。
【００６１】
以上本発明の好ましい実施例１について詳細に説明したが、本発明は上述した実施例１に制限されることなく、本発明の範囲を逸脱することなく、上述した実施例１に種々の変形および置換を加えることができる。
【００６２】
例えば上述した実施例１においては副体部がスライドカバーである場合を示したが、ディスプレイやタッチパネル、マイク等を含むものであってもよい。すなわち本発明のスライド機器の適用対象となる電子機器は撮像装置に限られることなく、携帯電話、携帯端末等、種々の装置を包含するものである。
【００６３】
以上述べた実施例１においては、主にレンズ外径が大きい形態の電子機器に用いるスライド機器Ｄ１について述べたが、レンズ外径が小さい形態の電子機器であって、上述したウイリー動作やテールリフトアップ動作を実現する構成要素を幅方向外側に集約する必要がない場合においても本発明の技術思想を適用することができる。以下それについての実施例２について述べる。
【実施例２】
【００６４】
以下の実施例２の説明に用いる図８中において、φは幅方向の中央を示し、ＯＵＴは幅方向の中央φから離隔する幅方向の外側を示し、ＩＮは中央φに接近する幅方向の内側を示す。Ｆは表裏方向の表方向を示し、本実施例２では本体部２１から副体部２３に向かう方向を示す。Ｒは裏方向を示す。ＣＬは開閉方向の閉方向を示し、ＯＰは開方向を示す。
【００６５】
なお図８においても図１と同様に、表方向Ｆを上として開方向ＯＰから視ると幅方向の中央φより右側の領域の幅方向の外側ＯＵＴは右方であり内側ＩＮは左方となり、左側の領域ではＯＵＴは左方でありＩＮは右方となるものとする。
【００６６】
図８に示すように、本実施例２のスライド機器Ｄ２は、ベースカバー２１（本体部）に固定されるベースフレーム２２（基板）と、スライドカバー２３（副体部）に固定されて閉位置と開位置の間を開閉方向に摺動可能なスライドフレーム２４（摺動板）とをまず含む。
【００６７】
ベースカバー２１とスライドカバー２３は例えばアルミプレス成形等により成形され、ベースフレーム２２、スライドフレーム２４は例えばＳＵＳ等の金属製の板をプレス加工及び曲げ加工により適宜加工することにより構成される。なお、ベースカバー２１は図示しないレンズ用の一対の部分円弧と一対の直線を組み合わせた窓部を含み、スライドフレーム２４の裏面側には薄板状のクッション２３ＤＯ、２３ＤＣが適宜の手段により接合されて設けられる。
【００６８】
スライドフレーム２４はその開閉方向の中央部分に幅方向にここでは五つ並列されて形成される方形状の穴部２４ａを含む。ベースカバー２１の表面部２１Ｆは閉位置において穴部２４ａに係合されて、なおかつ、閉方向に対して裏方向側に傾斜する傾斜面２１ａａを有する傾斜面部２１ａを含む。
【００６９】
本実施例２のスライド機器Ｄ２において、ベースフレーム２２の平板部２２Ｆは、スライドフレーム２４の摺動方向を案内する二条の摺動案内部２２ａを含み、スライドフレーム２４の閉位置から開位置に向けての摺動の初期段階で、スライドフレーム２４の閉方向端の表裏方向の移動を拘束する拘束部と、摺動案内部２２ａの閉方向端部において形成されて裏方向に傾斜する傾斜部分２２ａａと、を含む。
【００７０】
ベースフレーム２２の平板部２２Ｆは、幅方向において二条の摺動案内部２２ａと傾斜部分２２ａを構成するとともに、この平板部２２Ｆの幅方向外側端から裏方向に突出する突片部２２ｂとを有し、突片部２２ｂが開方向に対して表方向に傾斜する傾斜辺部２２ｂａを有している。
【００７１】
スライドフレーム２４はさらに、幅方向内側部分に裏方向に突出して摺動案内部２２ａ及び傾斜部分２２ａａに当接するメインスライドピン２５（裏突部９）と、幅方向外側端に裏方向に突出する突片２４ｂを含み、この突片２４ｂから幅方向内側に指向して傾斜辺部２２ｂａに当接するサブスライドピン２６（内突部）と、を含む。このサブスライドピン２６に当接される傾斜辺部２２ｂａが拘束部を構成している。平板部２２Ｆの幅方向外側端のうち突片２４ｂが構成されない開方向側部分は開閉方向に平行な平行部２２ｃが形成される。
【００７２】
さらに、スライドフレーム２４は、裏方向に突出する開閉方向一対のガイドピン２７（裏突出部）を含み、ベースフレーム２２は、一対のガイドピン２７それぞれの開閉方向の移動量を規制するとともに幅方向の移動を規制するガイド２８（規制手段）を含む。
【００７３】
ここでは、ガイド２８はガイドピン２７を幅方向に挟持するとともに開閉方向の移動量を規制する細長い中空楕円形状の長孔部を有する樹脂により形成されて、樹脂製のガイド２８はベースフレーム２２にガイド２８に対応して形成された開閉方向に延びる長孔部にインサート成型又は熱圧着により固定される。
【００７４】
加えて、スライドフレーム２４は、一対のガイドピン２７のうち開方向側のガイドピン２７を保持するホルダ２９（保持部）を含むとともに、ホルダ２９の表裏方向の表方向側面に対して、ベースカバー２１の裏面が摺動する部分に摩擦を低減する滑りテープ３０（摩擦低減部分）をベースカバー２１の裏面側が含んでいる。また、平板部２２Ｆの幅方向一対の平行部２２ｃにも図示しない滑りテープが設けられる。
【００７５】
なお、図８中３１、３２は両面テープを指し、両面テープ３１はベースカバー２１の裏面とベースフレーム２２の平板部２２Ｆの表面とを接着し接合するものであり、両面テープ３２はスライドカバー２３の裏面とスライドフレーム２４の表面とを接着し接合するものである。スライドカバー２３とスライドフレーム２４とを接合して表側のアッシーを構成して、ベースフレーム２２と表裏方向に並列した態様を図９に示す。
【００７６】
図９に示すように表側のアッシーは、裏方向に向けて幅方向に一対のメインスライドピン２５、サブスライドピン２６及び突片２４ｂと、開閉方向に一対のガイドピン２７、ホルダ２９を突出して備えている。
【００７７】
この表側のアッシーの含む裏方向への突出形態に伴わせて、図８に示すようにベースカバー２１は、これらの突出形態を表方向から裏方向に挿通する表裏方向に延びる複数条のスリットを適宜有している。なお、メインスライドピン２５、サブスライドピン２６及びガイドピン２７は例えば合成樹脂により形成され、ベースフレーム２２に対して実施例１で示したスライドピン６と同様のカシメ等の適宜の手段で固定される。
【００７８】
上述した表側のアッシーのメインスライドピン２５、サブスライドピン２６を、ベースカバー２１の複数条のスリットから表方向から裏方向に挿通させた状態で、ベースフレーム２２の対応する摺動案内部２２ａ、傾斜辺部２２ｂａに表方向から裏方向に向けて当接させ、ガイドピン２７についてもガイド２８の長孔部に挿入することで、本実施例２のスライド機器Ｄ２は構成される。
【００７９】
以上述べた本実施例２のスライド機器Ｄ２及びスライド機器Ｄ２を含む電子機器によれば、以下のような動作を実現でき、以下に述べるより有利な作用効果を得ることができる。これらの動作について図１０（ａ）〜（ｄ）を用いて説明する。
【００８０】
図１０は幅方向に垂直であって、傾斜辺部２２ｂａとサブスライドピン２６の当接態様を含む第一断面、摺動案内部２２ａとメインスライドピン２５の当接態様を含む第二断面、傾斜面部２１ａと穴部２４ａの当接態様を含む第三断面のそれぞれにおいて幅方向中央から外側を視て示すものである。なお、図１０において、第一断面から第三断面は下方から順に並列して示している。
【００８１】
図１０（ａ）は閉位置についてスライドカバー２３及びスライドフレーム２４を省略して示し、図１０（ｂ）は閉位置から開位置に移行する摺動の初期段階を示し、図１０（ｃ）は初期段階が終了した後の摺動状態を示し、図１０（ｄ）は、開位置を示す。図１０（ａ）に示すように、傾斜辺部２２ｂａは傾斜面２１ａａよりも開方向側に位置し、傾斜辺部２２ｂａと傾斜部分２２ａａは開閉方向においてほぼ同じ位置に配置される。
【００８２】
図１０（ｂ）に示すように、スライドカバー２３の閉方向端部を裏方向及び開方向に押圧する押圧力が入力されており、スライドカバー２３を閉位置から開位置へ移動させる開操作が開始される。このスライド操作の初期段階においては、傾斜面２１ａａに穴部２４ａを構成する閉方向側の内縁部が開方向に移動して当接され、内縁部と傾斜面２１ａａの当接に伴うリフト力がスライドフレーム２４の開方向端側に発生する。
【００８３】
このリフト力が作用すると、図１０（ｂ）の下段に示すように、サブスライドピン２６が傾斜辺部２ｂａに裏方向から表方向に押圧されて、拘束部＝傾斜辺部２２ｂａが表裏方向においてサブスライドピン２６及びスライドフレーム２４の閉方向端を拘束することが行われる。
【００８４】
初期段階においてこの表裏方向の拘束が作用すると、サブスライドピン２６が支点とされた上で、上述したリフト力により、スライドフレーム２４の開方向端はスライドカバー２３とともに表方向に移動させられてウイリー動作が行われる。この場合において、スライドフレーム２４の閉方向端部はベースカバー２１の表面部２１Ｆに表方向から裏方向に当接されるため、スライドカバー２３の開方向端部の表方向への移動量が制限される移動量制限動作が行われる。
【００８５】
引き続き開操作のための押圧力がスライドカバー２３の閉方向端部に作用されると、図１０（ｃ）の下段に示すように、サブスライドピン２６は傾斜辺部２２ｂａから開方向側にずれて表裏方向の拘束は解除されるとともに、図１０（ｂ）の中段と図１０（ｃ）の中段に示すように、メインスライドピン２５は摺動案内部２２ａの傾斜部分２２ａａに当接され、かつ、平行部２２ｃにサブスライドピン２６が当接ながら開方向に移動され、メインスライドピン２５が傾斜部分２２ａを開方向への移動とともに乗り上げることに伴って、スライドフレーム２４の閉方向端が表方向に移動される、テールリフトアップ動作が行われる。
【００８６】
テールリフトアップ動作が行われた後は、図１０（ｄ）に示すように、メインスライドピン２５と摺動案内部２２ａの傾斜部分２２ａａ以外の当接部との当接と、スライドフレーム２４の裏面のクッション２３ＤＯ、２３ＤＣとベースカバー２１の表面部２１Ｆとの間の当接及びサブスライドピン２６の平行部２２ｃとの当接とに基づいて、スライドフレーム２４とスライドカバー２３は開方向にベースフレーム２２に対して開位置に到達するまで平行に移動され、平行移動動作が行われる。
【００８７】
つまり本実施例２においても、初期段階のウイリー動作においてスライドフレーム２４の開方向端のみを表方向に移動させるので、押圧力に対する操作反力を抑制することができる。また、テールリフトアップ動作においてもスライドフレーム２４の閉方向端のみを表方向に移動させるので、これも押圧力に対する操作反力を抑制することができる。すなわち実施例１と同様に、全ての動作において操作フィーリングを高めて操作性を高めることができる。
【００８８】
加えて、本実施例２のスライド機器Ｄ２は、実施例１のスライドブロック７に相当する部品を、ベースフレーム２２の一体成型により構成することができるので、レンズ外径の増大の要請がない条件においては、製造をより容易なものとすることができる。
【００８９】
以上本発明の好ましい本実施例２について詳細に説明したが、本発明は上述した実施例２に制限されることはない。本実施例２においても本発明の範囲を逸脱することなく、種々の変形および置換を加えることができる。
【産業上の利用可能性】
【００９０】
本発明によれば、副体部の特には開く方向への操作にあたっての操作性を高め商品性を高めることができる。つまり、より商品性の高いスライド機器を提供することができる。本発明はカバー等の副体部を必要とする撮像装置、撮像装置付き携帯電話はもちろん、ウイリー動作、テールリフトアップ動作、平行移動動作を順番に行う副体部を要素として含む各種電子機器に適用して有益なものである。
【符号の説明】
【００９１】
Ｄ１      スライド機器
１        ベースカバー（本体部）
１Ｆ      表面部（１ＦＣ：閉方向側部分、１ＦＯ：開方向側部分）
１ａ      傾斜面部（１ａａ：傾斜面）
１ｂ      スリット（挿通溝）
２        ベースフレーム（基板）
２ａ      基部
２ｂ      脚部
２ｃ      脱落防止溝（２ｃａ：拘束部）
３        スライドカバー（副体部）
４        スライドフレーム（摺動板）
４ａ      平面部
４ｂ      腕部
４ｃ      穴部
５        サブスライドフレーム（付加摺動板）
５ａ      凹部
６        スライドピン
６ａ      抜止頭部
６ｂ      突部
７        スライドブロック（摺動案内部）
７ａ      傾斜部分
８        ロックピン（凸部）
９        スリットカバー（遮蔽手段）
１０      遮蔽板
１０ａ    二段傾斜面
１０ｂ    応内輪郭形状
１０ｃ    曲線形状収納形状
１０ｄ    開方向側支点収納形状
１０ｅ    閉方向側支点収納形状
１１      カバースプリング（付勢手段）
１１ａ    開方向側支点
１１ｂ    閉方向側支点
Ｄ２      スライド機器
２１      ベースカバー（本体部）
２１ａ    傾斜面部（２１ａａ：傾斜面）
２２      ベースフレーム（基板）
２２Ｆ    平板部
２２ａ    摺動案内部（２２ａａ：傾斜部分）
２２ｂ    突片部（２２ｂａ：傾斜辺部＝拘束部）
２２ｃ    平行部
２３      スライドカバー（副体部）
２４      スライドフレーム（摺動板）
２４ａ    穴部
２４ｂ    突片
２５      メインスライドピン（裏突部）
２６      サブスライドピン（内突部）
２７      ガイドピン（裏突出部）
２８      ガイド（規制手段）
２９      ホルダ（保持部）
３０      滑りテープ（摩擦低減部分）
【図１】
0005650966.tif 000002
【図２】
0005650966.tif 000003
【図３】
0005650966.tif 000004
【図４】
0005650966.tif 000005
【図５】
0005650966.tif 000006
【図６】
0005650966.tif 000007
【図７】
0005650966.tif 000008
【図８】
0005650966.tif 000009
【図９】
0005650966.tif 000010
【図１０】
0005650966.tif 000011